(57)【特許請求の範囲】
【請求項１】
燃焼開始指令を受信すると燃焼を開始し、燃焼停止指令を受信すると燃焼を停止し、燃焼量制御指令を受信すると該燃焼量制御指令により指令された燃焼量で燃焼を行う液体燃料燃焼用バーナ装置と、
通電開始指令を受信するとヒータ部への通電を開始し通電停止指令を受信すると前記ヒータ部への通電を停止する電気ヒータ装置と、
前記燃焼開始指令及び前記燃焼停止指令並びに前記通電開始指令及び前記通電停止指令を予め定めた制御モードに従って出力する指令発生部とを備えた暖房装置であって、
前記液体燃料燃焼用バーナ装置と前記電気ヒータ装置が収納される枠体の内部が仕切壁によって仕切られて、前記仕切壁の下に位置する第１の空間と前記仕切壁の上に位置する第２の空間とに分けられており、
前記第１の空間に前記液体燃料燃焼用バーナ装置が収納され、前記第２の空間に前記電気ヒータ装置が収納され、
前記枠体の背面には第１の空間に配置された前記液体燃料燃焼用バーナ装置に送風する第１の送風ファンと、前記第２の空間に配置された電気ヒータ装置に送風する第２の送風ファンとを備え、
前記枠体の前面には、前記第１の空間と連通する第１の吹き出し口と、前記第２の空間と連通する第２の吹き出し口が設けられ、
前記枠体内には前記第１の空間が異常高温となったときに作動する第１の異常温度検出手段と、前記第２の空間が異常高温となったときに作動する第２の異常温度検出手段とを備えると共に、
前記電気ヒータ装置の前記通電開始指令を受けて作動して所定時間を計時するタイマ手段と、前記第１の異常温度検出手段もしくは第２の異常温度検出手段の作動による前記燃焼停止指令並びに前記通電停止指令の出力回数をカウントするカウンタ手段とを設け、
前記指令発生部は、前記タイマ手段の計時中に前記第１の異常温度検出手段もしくは第２の異常温度検出手段が作動したときは、前記燃焼停止指令並びに前記通電停止指令を出力すると共に前記カウンタ手段を加算し、
前記カウンタ手段が指定回数になったときに作動して、前記燃焼開始指令と前記通電開始指令の出力を無効にする異常停止手段と、異常停止を報知する警報手段とを備えていることを特徴とするハイブリッド式暖房機。
【請求項２】
前記第１の異常温度検出手段もしくは第２の異常温度検出手段の作動によって前記燃焼停止指令並びに前記通電停止指令が出力されたときにおいて、前記タイマ手段の停止中は前記カウンタ手段を加算しないことを特徴とする請求項１記載のハイブリッド式暖房機。
【請求項３】
前記第１の異常温度検出手段もしくは第２の異常温度検出手段が作動する前に前記タイマ手段が計時終了したときは、前記カウンタ手段をリセットするリセット手段を備えていることを特徴とする請求項１または２に記載のハイブリッド式暖房機。
【発明の詳細な説明】
【技術分野】
【０００１】
この発明は、液体燃料燃焼用バーナ装置と電気ヒータ装置を備えた暖房装置に関するものである。
【背景技術】
【０００２】
液体燃料燃焼用バーナ装置を備えた温風暖房機や、電気ヒータ装置を備えた電気温風暖房機などの一般的な温風暖房機は、埃詰まりや送風ファンの異常が起こると枠体内が異常高温となるため、この異常高温を検出するためにハイリミットスイッチなどで構成する異常温度検出手段を備えており、異常温度検出手段が作動したときには、液体燃料燃焼用バーナ装置は燃焼停止指令を出力してバーナの燃焼を停止し、電気ヒータ装置は通電停止指令を出力してヒータへの通電を停止することで、異常高温によるトラブルを未然に防止する構成を備えている。
【０００３】
特許文献１には、液体燃料燃焼用バーナ装置と電気ヒータ装置の両方を備えた温風暖房機が開示されており、このような液体燃料燃焼用バーナ装置と電気ヒータ装置の両方を備えた温風暖房機では、液体燃料燃焼用バーナ装置と電気ヒータ装置は枠体内の区画された空間に配置されて、それぞれに送風ファンを備えているため、液体燃料燃焼用バーナ装置と電気ヒータ装置の両方に異常高温を検出するための異常温度検出手段が必要となる。
【先行技術文献】
【特許文献】
【０００４】
【特許文献１】特開平７−３１８１６７号公報
【発明の概要】
【発明が解決しようとする課題】
【０００５】
異常高温の発生により異常温度検出手段が作動するときにおいて、異常高温の原因が埃詰まりのときは、枠体内の掃除をして埃を取り除けば異常高温は解消される。一方、異常高温の原因が送風ファンの異常のときは送風ファンの交換や修理が必要となる。また、送風ファンの異常が発生すると枠体内に風が送られなくなるため、埃詰まりのときに比べて枠体内が高温度になりやすく、樹脂部品の変形など他のトラブルを同時に発生させてしまう問題がある。
【０００６】
最近では暖房機に同じ異常が繰り返し発生したときに、その発生回数が指定回数に達すると暖房機を強制的に停止して、暖房機を使用できなくする異常停止手段を備えており、異常高温の検出時にも異常停止手段を作動する構成とすれば、上記のトラブルは防ぐことができる。しかし、埃詰まりのように掃除をすれば問題が解消され修理の必要がないような場合でも、暖房機が使用できなくなってしまい、業者に修理を依頼しなければならなくなるため、使い勝手は悪くなる。そのため、安全性は確保しながら使い勝手の向上を図るための工夫が必要となる。
【課題を解決するための手段】
【０００７】
この発明は上記の課題を解決するもので、燃焼開始指令を受信すると燃焼を開始し、燃焼停止指令を受信すると燃焼を停止し、燃焼量制御指令を受信すると該燃焼量制御指令により指令された燃焼量で燃焼を行う液体燃料燃焼用バーナ装置２と、通電開始指令を受信するとヒータ部３１への通電を開始し通電停止指令を受信すると前記ヒータ部３１への通電を停止する電気ヒータ装置３と、前記燃焼開始指令及び前記燃焼停止指令並びに前記通電開始指令及び前記通電停止指令を予め定めた制御モードに従って出力する指令発生部４とを備えた暖房装置であって、前記液体燃料燃焼用バーナ装置２と前記電気ヒータ装置３が収納される枠体１の内部が仕切壁１ａによって仕切られて、前記仕切壁１ａの下に位置する第１の空間１ｂと前記仕切壁１ａの上に位置する第２の空間１ｃとに分けられており、前記第１の空間１ｂに前記液体燃料燃焼用バーナ装置２が収納され、前記第２の空間１ｃに前記電気ヒータ装置３が収納され、前記枠体１の背面には第１の空間１ｂに配置された前記液体燃料燃焼用バーナ装置２に送風する第１の送風ファン２５と、前記第２の空間１ｃに配置された電気ヒータ装置３に送風する第２の送風ファン３２とを備え、前記枠体１の前面には、前記第１の空間１ｂと連通する第１の吹き出し口１２と、前記第２の空間１ｃと連通する第２の吹き出し口１５が設けられ、前記枠体１内には前記第１の空間１ｂが異常高温となったときに作動する第１の異常温度検出手段５と、前記第２の空間１ｃが異常高温となったときに作動する第２の異常温度検出手段６とを備えると共に、前記電気ヒータ装置３の前記通電開始指令を受けて作動して所定時間を計時するタイマ手段７と、前記第１の異常温度検出手段５もしくは第２の異常温度検出手段６の作動による前記燃焼停止指令並びに前記通電停止指令の出力回数をカウントするカウンタ手段８とを設け、前記指令発生部４は、前記タイマ手段７の計時中に前記第１の異常温度検出手段５もしくは第２の異常温度検出手段６が作動したときは、前記燃焼停止指令並びに前記通電停止指令を出力すると共に前記カウンタ手段８を加算し、前記カウンタ手段８が指定回数になったときに作動して、前記燃焼開始指令と前記通電開始指令の出力を無効にする異常停止手段９と、異常停止を報知する警報手段１０とを備えていることを特徴とするものである。
【０００８】
また、前記第１の異常温度検出手段５もしくは第２の異常温度検出手段６の作動によって前記燃焼停止指令並びに前記通電停止指令が出力されたときにおいて、前記タイマ手段７の停止中は前記カウンタ手段８を加算しないものであり、電気ヒータ装置３が停止しているときや、電気ヒータ装置３の通電開始から所定時間が経過してタイマ手段７が停止後に、異常高温が検出されたときは、第２の送風ファン３２の異常によるものではなく、第１の送風ファン２５の異常もしくは埃詰まりであると判断して、カウンタ手段８は加算しないものである。
【０００９】
また、前記第１の異常温度検出手段５もしくは第２の異常温度検出手段６が作動する前に前記タイマ手段７が計時終了したときは、前記カウンタ手段８をリセットするリセット手段８ａを備えており、電気ヒータ装置３の運転開始から所定時間が経過しても異常高温が検出されないときは、第２の送風ファン３２に異常がないと判断してカウンタ手段８をリセットすることで異常停止手段９の誤作動を防ぐものである。
【発明の効果】
【００１０】
この発明の暖房機は、電気ヒータ装置３の通電開始指令を受けてタイマ手段７が作動し、タイマ手段７は所定時間を計時すると停止する。また、第１の異常温度検出手段５もしくは第２の異常温度検出手段６が作動すると、燃焼停止指令並びに通電停止指令を出力して液体燃料燃焼用バーナ装置２と電気ヒータ装置３の運転を停止する構成である。このタイマ手段７が作動中に第１の異常温度検出手段５もしくは第２の異常温度検出手段６が作動して燃焼停止指令並びに通電停止指令を出力したときは、カウンタ手段８を加算する。そして、カウンタ手段８のカウント数が所定回数になったときは、異常停止手段９が作動して指令発生部４を停止させるので、燃焼開始指令と通電開始指令が出力されなくなり、液体燃料燃焼用バーナ装置２と電気ヒータ装置３が使用できなくなる。
【００１１】
電気ヒータ装置３の第２の送風ファン３２の異常が発生しているときは、電気ヒータ装置３の通電から短時間で第２の空間１ｃが異常高温となるので、タイマ手段７が所定時間計時する前に異常高温が検出されるものであり、異常高温が連続して検出されるときは、暖房機が使用できなくなるので、修理を依頼することになる。したがって、第２の送風ファン３２の異常発生時に樹脂部品の変形など他のトラブルを同時に発生させることがなくなった。
【００１２】
また、第２の送風ファン３２の異常が発生していても電気ヒータ装置３への通電がないときは第２の空間１ｃが異常高温となる恐れはなく、樹脂部品の変形の恐れはない。一方、第１の送風ファン２５の異常が発生しているときは第１の空間１ｂが異常高温となるが、樹脂部品の変形の恐れはない。また、第１の空間１ｂや第２の空間１ｃの埃詰まりのときは暖房機の運転開始から異常高温が検出されるまでに時間がかかるものである。この発明では、電気ヒータ装置３が停止しているときや、電気ヒータ装置３への通電開始指令から所定時間が経過して、タイマ手段７が停止しているときに、第１の異常温度検出手段５もしくは第２の異常温度検出手段６が作動したときは、カウンタ手段８を加算しない構成としている。このため、異常高温の原因が埃詰まりであれば、掃除などによって埃を取り除けば異常高温は発生しなくなるから、暖房機が使用できなくなってしまうことはなく、業者へ修理を依頼する必要もないので、安全性を確保しながら使い勝手の向上が実現できるものとなった。
【００１３】
また、タイマ手段７が計時終了するまでに異常高温が検出されないときは、タイマ手段７が所定時間の計時を終了した時点でリセット手段８ａが作動してカウンタ手段８をリセットする。タイマ手段７の作動中に異常高温が検出されるとカウンタ手段８に加算されるが、運転再開後にタイマ手段７の作動中に異常高温が検出されなければ、異常高温の原因が第２の送風ファン３２の異常ではなく埃詰まりであるので、カウンタ手段８のカウントをリセットする。このため、第２の送風ファン３２に異常がなく、埃詰まりによる異常高温ではカウンタ手段８が指定回数に達することはないから、異常停止手段９の誤作動を防ぐことができ、埃詰まりによる異常高温のときに暖房機が使用できなくなってしまうことはない。
【図面の簡単な説明】
【００１４】
【図１】この発明の実施例を示す暖房機の構成を示すブロック図である。
【図２】この発明の実施例を示す異常高温の検出動作を説明するフローチャートである。
【図３】この発明の実施例を示す暖房機の断面図である。
【発明を実施するための形態】
【００１５】
図に示す実施例によってこの発明を説明すると、１は暖房機の枠体、１ａは枠体１の内部を上下に仕切る仕切壁、１ｂは仕切壁１ａの下に位置する第１の空間、１ｃは仕切壁１ａの上に位置する第２の空間、２は枠体１内の第１の空間１ｂに収納される液体燃料燃焼用バーナ装置、３は枠体１内の第２の空間１ｃに収納される電気ヒータ装置である。
【００１６】
１１は枠体１の背面に形成された第１の空間１ｂと連通する第１の吸込口、１２は枠体１の前面に形成された第１の空間１ｂと連通する第１の吹出口、１３は第１の吸込口１１と第１の吹出口１２を連通する第１の空間１ｂに形成された第１の送風路である。２１は第１の空間１ｂに配置される液体燃料燃焼用バーナ装置２の燃焼部を構成するバーナ、２２はバーナ２１を予熱する点火ヒータ、２３はバーナ２１に燃料を供給する燃料ポンプ、２４はバーナ２１に燃焼用空気を供給する燃焼用ファン、２５はバーナ２１に室内空気を送る第１の送風ファンであり、第１の送風路１３内にバーナ２１の一部が位置し、第１の送風ファン２５がバーナ２１と枠体１背面の第１の吸込口１１との間に配置されている。
【００１７】
液体燃料燃焼用バーナ装置２の運転を開始すると、点火ヒータ２２に通電されてバーナ２１が加熱され、燃料ポンプ２３と燃焼用ファン２４とが作動してバーナ２１に燃料と燃焼用空気が供給されて燃焼を開始し、バーナ２１で発生する燃焼ガスと熱が第１の送風路１３に放出される。第１の送風ファン２５によって室内空気が第１の吸込口１１から第１の送風路１３に送られ、第１の送風路１３内を流れるときにバーナ２１で発生する燃焼ガスと混合して高温となり、温風となって枠体１の前面の第１の吹出口１２から室内に吹出す。
【００１８】
１４は枠体１の背面に形成された第２の空間１ｃと連通する第２の吸込口、１５は枠体１の前面に形成した第２の空間１ｂと連通する第２の吹出口、１６は第２の吸込口１４と第２の吹出口１５を連通する第２の空間１ｃに形成された第２の送風路である。３１は第２の空間１ｃに配置される電気ヒータ装置３の発熱部を構成するヒータ部、３２はヒータ部３１に室内空気を送る第２の送風ファンであり、第２の送風路１６内にヒータ部３１が配置され、ヒータ部３１と枠体背面の第２の吸込口１４との間に第２の送風ファン３２が配置されている。実施例の電気ヒータ装置３はヒータ部３１をＰＴＣヒータで構成しており、ＰＴＣヒータは絶縁物で覆う必要があり、絶縁物は耐熱性の樹脂部品で構成されている。
【００１９】
電気ヒータ装置３の運転を開始すると、ヒータ部３１に通電すると共に第２の送風ファン３２が駆動し、第２の送風ファン３２によって室内空気が第２の吸込口１４から第２の送風路１６に送られてヒータ部３１を通過するときに高温となり、温風となって第２の吹出口１５から室内に吹出す。
【００２０】
４は液体燃料燃焼用バーナ装置２と電気ヒータ装置３に制御信号を出力して運転を制御する指令発生部、４１は指令発生部４を備えた制御装置、４２は暖房機の運転・停止を指示する運転スイッチ、４３は電気ヒータ装置３の運転・停止を指示する電気ヒータスイッチであり、運転スイッチ４２を操作して運転を開始すると、指令発生部４は液体燃料燃焼用バーナ装置２に燃焼開始指令を出力すると共に電気ヒータ装置３に通電開始指令を出力する。
【００２１】
暖房機の運転を開始後は、液体燃料燃焼用バーナ装置２と電気ヒータ装置３の両方が運転しており、この状態のときに電気ヒータスイッチ４３を操作すると指令発生部４は通電停止指令を電気ヒータ装置３に出力してヒータ部３１への通電が停止され、液体燃料燃焼用バーナ装置２の単独運転となる。また、液体燃料燃焼用バーナ装置２の単独運転中に電気ヒータスイッチ４３を操作すると指令発生部４は電気ヒータ装置３に通電開始指令を出力してヒータ部３１への通電が開始され、液体燃料燃焼用バーナ装置２と電気ヒータ装置３の両方が運転する。また、暖房機の停止中に電気ヒータスイッチ４３を操作すると、指令発生部４は通電開始指令を電気ヒータ装置３に出力してヒータ部３１への通電が開始され、電気ヒータ装置３の単独運転となる。
【００２２】
１７は枠体１に設けた温度設定手段、１８は枠体１の背面に備えた室温センサであり、室温センサ１８で検出される室内温度が温度設定手段１７によって設定された温度に近づくように、指令発生部４は燃焼量制御指令を出力して燃焼量を制御する。
３３は電気ヒータ装置３のヒータ部３１の通電を制御する通電回路、３４は指令発生部４の発熱量制御指令により指令された発熱量でヒータ部３１を発熱させるように通電回路３３を制御する発熱量制御部である。
【００２３】
第１の送風路１３及び第２の送風路１６には、第１の吸込口１１及び第２の吸込口１４から送られる空気と一緒に埃が流入し、第１の送風路１３及び第２の送風路１６に埃が付着して堆積する。この埃の付着量が多くなると第１の送風路１３及び第２の送風路１６内の空気の流れが妨げられるため、第１の空間１ｂや第２の空間１ｃの温度が上昇する問題がある。また、第１の送風ファン２５や第２の送風ファン３２に異常が発生して、送風量の低下や送風が停止してしまったときにも第１の空間１ｂや第２の空間１ｃの温度が上昇する問題がある。
【００２４】
５は第１の送風路１３壁に取り付けた第１の異常温度検出手段、６は第２の送風路１６壁に取り付けた第２の異常温度検出手段であり、第１の異常温度検出手段５及び第２の異常温度検出手段６はハイリミットスイッチで構成されている。埃詰まりや第１の送風ファン２５もしくは第２の送風ファン３２の異常により第１の空間１ｂが異常高温となったときは第１の異常温度検出手段５が作動し、第２の空間１ｃが異常高温となったときは第２の異常温度検出手段６が作動する。第１の異常温度検出手段５もしくは第２の異常温度検出手段６のいずれか一方が作動すると、この作動信号を受けて指令発生部４は液体燃料燃焼用バーナ装置２と電気ヒータ装置３に燃焼停止指令及び通電停止指令を出力する。
【００２５】
実施例では第１の異常温度検出手段５と第２の異常温度検出手段６は直列回路で制御装置４１に接続されており、制御装置４１では第１の異常温度検出手段５と第２の異常温度検出手段６のどちらが作動したかは判別していない。第１の異常温度検出手段５と第２の異常温度検出手段６を別回路とすれば作動を判別できるが、制御装置４１の回路設計が複雑になり大幅な設計変更が必要となり、コスト高となってしまう。実施例のようにすれば制御装置４１は異常温度検出手段が１個のときと同じ回路設計となるので、設計変更は必要なくコストの上昇を抑えることができる。また、第１の異常温度検出手段５もしくは第２の異常温度検出手段６の作動は判別できないが、第１の空間１ｂや第２の空間１ｃの異常高温は検出できる。
【００２６】
１０は警報手段であり、警報手段１０が作動すると警告ランプなどを表示すると共に、警告ブザーなどを出力するものであり、暖房機の運転が停止して警報手段１０が作動すれば、使用者は警報出力の内容をみることで異常の原因を確認して対応することができる。
【００２７】
このような異常高温の原因として多いのは埃詰まりであり、埃詰まりの場合は、第１の送風ファン２５や第２の送風ファン３２は駆動して、第１の空間１ｂや第２の空間１ｃには低温度の空気が供給されているため、異常高温が検出されるときでも急激な温度上昇はない。そして、第１・第２の吸込口１１・１４や第１・第２の吹出口１２・１５や第１・第２の送風路１３・１６などを掃除して埃を取り除けば、異常高温の問題は解消できる。
【００２８】
一方、異常高温の原因が第１の送風ファン２５や第２の送風ファン３２の故障であるときは、第１の送風ファン２５や第２の送風ファン３２を修理か交換しなければ異常高温の問題は解消できない。しかし、異常高温が発生したときは、はじめのうちは埃詰まりを疑うことが多く、掃除をして運転を再開することがあるが、この場合は再び異常高温が検出されて暖房機の運転が停止してしまうものであり、これを何回か繰り返してから原因が埃詰まりではないことに気が付くことがある。
【００２９】
そして、第１の送風ファン２５や第２の送風ファン３２の異常が発生すると、第１の空間１ｂや第２の空間１ｃは第１の送風ファン２５や第２の送風ファン３２による低温度の空気の供給がなくなるため、短時間で高温度になり、しかも埃詰まりのときに比べて温度は高くなる。特に第２の空間１ｃにはヒータ部３１の絶縁部材として樹脂部品が使用されているため、第２の送風ファン３２が故障した状態のまま暖房機の使用を続けてしまい、第２の空間１ｃの異常高温が繰り返されると、異常高温によって絶縁部材を構成する樹脂部品の変形を引き起こす可能性がある。
【００３０】
７は電気ヒータ装置３の通電開始指令が出力されたときに作動するタイマ手段、８は第１の異常温度検出手段５もしくは第２の異常温度検出手段６が作動して燃焼停止指令もしくは通電停止指令が出力されたときに、その出力回数をカウントするカウンタ手段である。
【００３１】
図２は異常高温の検出動作を示すフローチャートであり、運転スイッチ４２もしくは電気ヒータスイッチ４３が操作されて、指令発生部４から通電開始指令が出力されるとタイマ手段７が作動を開始し、タイマ手段７は所定時間を計時する。実施例ではタイマ手段７の計時する所定時間を２０分に設定している。
タイマ手段７が作動中に第１の異常温度検出手段５もしくは第２の異常温度検出手段６が作動すると、指令発生部４は燃焼停止指令もしくは通電停止指令を出力して液体燃料燃焼用バーナ装置２と電気ヒータ装置３を停止し、カウンタ手段８をカウント加算する。
１９はカウンタ手段８のカウント数を入力する判定部であり、判定部１９はカウンタ手段８のカウント数が上限値に達しているかを確認する。実施例では上限値を「１０」に設定しており、カウント数が「１」〜「９」のときは上限値に達していないと判定部１９で判断し、警報手段１０を作動して異常高温の警報のみを出力する。
【００３２】
９は指令発生部４を停止して燃焼開始指令と通電開始指令が出力されないようにする異常停止手段であり、カウンタ手段８のカウント数が上限値に達していると判定部１９で判断したときは異常停止手段９を作動する。異常停止手段９が作動して指令発生部４が停止すると、運転スイッチ４２や電気ヒータスイッチ４３を操作しても燃焼開始指令と通電開始指令は出力されることがなく、暖房機が使用できなくなる。このとき警報手段１０は異常停止の警報を出力し、暖房機が異常停止により使用できなくなったことを知らせる。
【００３３】
実施例において、第２の送風ファン３２の異常が発生しているときは、ヒータ部３１に通電が開始されるとすぐに第２の空間１ｃの温度上昇がはじまり、通電開始から５分程度で第２の空間１ｃが異常高温に達するものである。このため、タイマ手段７の所定時間である２０分以内に第２の異常温度検出手段６が作動するので、カウンタ手段８にカウント加算される。第２の送風ファン３２の異常が発生してしまうと、第２の空間１ｃの温度が低下してから運転を再開しても、電気ヒータ装置３への通電開始からタイマ手段７の所定時間である２０分内に再び異常高温が検出され、カウンタ手段８にカウント加算される。
【００３４】
第２の送風ファン３２の異常に気付かずに、電気ヒータ装置３の運転が繰り返されても、カウンタ手段８のカウント数が上限値である「１０」に達すると、異常停止手段９が作動して燃焼開始指令と通電開始指令が出力されなくなり、暖房機が使用できなくなり、樹脂ケースの変形を発生させる前に業者に修理を依頼することになるので、第２の送風ファン３２の故障時に他のトラブルを同時に発生させることはなくなり、第２の送風ファン３２の修理や交換だけですみ、メンテナンスの対応が容易になった。
【００３５】
また、この発明では、タイマ手段７が停止しているときに、第１の異常温度検出手段５もしくは第２の異常温度検出手段６が作動して、燃焼停止指令と通電停止指令が出力されたときは、カウンタ手段８は加算せず、警報手段１０が作動して異常高温の警報を出力する構成となっている。
【００３６】
第２の送風ファン３に異常が発生して第２の異常温度検出手段６が作動するときは、ヒータ部３１への通電開始から５分程度であり、第２の異常温度検出手段６の作動タイミングはタイマ手段７の作動中に限定される。一方、第１の送風ファン２５の異常や、第１の空間１ｂもしくは第２の空間１ｃの埃詰まりが発生しているときは、ヒータ部３１への通電に関係なく異常高温が発生する。また、埃詰まりの場合はバーナ２１の燃焼やヒータ部３１の通電を開始してから異常高温が検出されるまでには時間がかかるものであり、タイマ手段７の作動中に異常高温が検出されることはほとんどない。
【００３７】
このため、ヒータ部３１への通電中であってもタイマ手段７が停止しているときと、ヒータ部３１への通電が停止しているときは、第１の異常温度検出手段５もしくは第２の異常温度検出手段６が作動しても、第２の送風ファン３２の異常ではなく樹脂部品の変形の恐れはない。そして、第１の空間１ｂもしくは第２の空間１ｃの埃詰まりが原因である場合は、カウンタ手段８が加算されないので、異常停止手段９が作動して異常停止することはなく、掃除を行なって埃を除去することで異常高温は検出されなくなり、再び暖房機が使用可能となる。
【００３８】
また、第１の送風ファン２５に異常が発生しているときは、第１の空間１ｂが異常高温となり第１の異常温度検出手段５が作動するが、液体燃料燃焼用バーナ装置２には樹脂部品が使用されていないから、樹脂部品の変形の恐れはない。このため、ヒータ部３１への通電が停止しているときは、カウンタ手段８が加算されなくてもよいが、第１の送風ファン２５の修理や交換が必要となる。この発明の構成では第１の送風ファン２５に異常が発生しているときは、液体燃料燃焼用バーナ装置２の運転開始から５分程度で第１の空間１ｂが異常高温となるので、同時にヒータ部３１への通電があったときはタイマ手段７の作動中に異常高温が検出されることになり、カウンタ手段８に加算されるものであり、カウンタ手段８のカウント数が上限値である「１０」に達すると、異常停止手段９が作動するので、業者に修理を依頼することになる。
【００３９】
したがって、第１の送風ファン２５や第２の送風ファン３２の異常と、第１の空間１ｂや第２の空間１ｃの埃詰まりを区別できるものとなり、第１の送風ファン２５や第２の送風ファン３２の異常のときは暖房機を確実に異常停止させるので、暖房機が使用できなくなって必ず業者に修理を依頼することになるので、樹脂部品が変形を起こすことなく安全性を確保できるものとなった。一方、異常高温の原因が埃詰まりであるときは、掃除によって異常の原因となる埃を取り除いてしまえば運転が再開でき、暖房機が使用できなくなってしまうことはなくなり業者に修理を依頼する必要もないから、使い勝手の向上が実現できるものとなった。
【００４０】
また、この発明の他の実施例において、８ａはカウンタ手段８をリセットするリセット手段であり、電気ヒータ装置３への通電後、第１の異常温度検出手段５もしくは第２の異常温度検出手段６が作動せず、所定時間が経過してタイマ手段７が計時を終了したときは、リセット手段８ａが作動してカウンタ手段８のカウント値をリセットする。
【００４１】
埃詰まりが発生しているときにおいて、液体燃料燃焼用バーナ装置２の単独運転中に温度が上昇し、第１の異常温度検出手段５もしくは第２の異常温度検出手段６が作動する直前に電気ヒータ装置３の通電が開始されると、タイマ手段７の作動中に異常高温が検出されてしまうことがある。この場合はカウンタ手段８にカウント加算されるが、第２の送風ファン３２の異常が原因ではないため、運転再開後はタイマ手段７の作動中に異常高温が検出されることはない。しかし、カウンタ手段８のカウントが加算されたままであると、第２の送風ファン３２の異常が発生していなくても、異常停止手段９が作動してしまう可能性がある。
【００４２】
この発明では、タイマ手段７の作動中に第１の異常温度検出手段５もしくは第２の異常温度検出手段が作動しないときは、カウンタ手段８のカウント数がリセットされるので、埃詰まりによる異常高温のときに異常停止手段９が作動してしまうことはなくなり、暖房機が使用できなくなってしまうことはなくなった。
【符号の説明】
【００４３】
１    枠体
１ａ  仕切壁
１ｂ  第１の空間
１ｃ  第２の空間
２    液体燃料燃焼用バーナ装置
３    電気ヒータ装置
４    指令発生部
５    第１の異常温度検出手段
６    第２の異常温度検出手段
７    タイマ手段
８    カウンタ手段
８ａ  リセット手段
９    異常停止手段
１０    警報手段
１２    第１の吹き出し口
１５    第２の吹き出し口
２５    第１の送風ファン
３２    第２の送風ファン
【図１】
0005803471.tif 000002
【図２】
0005803471.tif 000003
【図３】
0005803471.tif 000004